(57)【要約】【課題】  使用者に恐怖心を与える等の不都合なしに、所定のカールを睫毛に容易かつ確実に施し得るアイラッシュカーラー及びアイラッシュカーラー用アダプタを提供する。【解決手段】  アイラッシュカーラー３の固定部材３３の前面にアダプタ２を磁石の吸着力で装着する。装着状態では、アダプタ２の背面部２１が本体部３３１に密着する。可動押圧部材３４を上昇操作して弾性押圧部３４２を固定部材３３の下縁３３３に密着させた後、さらに上昇操作すると、弾性押圧部３３２からの上向き圧力を受けて、アダプタ２が固定部材３３に対する吸着状態を維持しつつ上昇変位し、その角部が屈曲部３３２に乗り上げる。可動押圧部材３４を下降させると、上向き圧力が無くなって代わりに磁石の吸着力が優越的に作用し、屈曲部３３２に沿って滑動し元の装着状態に自動的に復元する。【選択図】      図１３
2014004128.tif 000002
【特許請求の範囲】
【請求項１】
まぶたに沿うように左右方向に湾曲した板状の固定部材と、この固定部材の下縁の板厚よりも幅広でかつ前記固定部材の下縁に対し下方位置で相対向した状態で左右方向に延びる弾性押圧部を有し前記固定部材の下縁に向けて昇降可能に支持された可動押圧部材とを備え、前記可動押圧部材の上昇操作により前記弾性押圧部と前記固定部材の下縁との上下方向間に睫毛を挟み付けることで睫毛にカールを施すように構成されたアイラッシュカーラーであって、
前記固定部材に対し着脱可能に装着された睫毛整列用のアダプタを備え、
前記固定部材は、左右方向に拡がり前記まぶたに沿うように前方に凸となる湾曲形状を有する本体部と、この本体部の左右方向に対し少なくとも中央部であってかつ前記可動押圧部材とは反対側である上側寄りの部分から前方に屈曲して斜め上向きに延びる屈曲部とからなり、
前記アダプタは、前記固定部材の左右方向範囲にわたり延びる湾曲形状を有し、前記本体部の前面に密着し得る形状に形成された背面部と、この背面部の前記屈曲部の形成範囲と対応する左右方向範囲に設けられ磁力に基づく吸着力により前記背面部を前記固定部材の前面に対し着脱可能に装着するための磁石部材と、下方に向けて鋸歯状の凹凸形状を有する睫毛整列部とを備え、
前記磁石部材は、前記可動押圧部材の上昇操作により前記弾性押圧部を前記固定部材の下縁に押圧した際に前記アダプタに作用する上向き圧力を受けると、前記固定部材に対し前記背面部を吸着させた状態に維持しつつ前記アダプタの上昇変位を許容して前記背面部の上端側角部が前記固定部材の本体部から屈曲部に摺動することを許容する一方、可動押圧部材の下降操作により前記上向き圧力が解消されると、前記吸着力に基づき前記前記背面部の上端側角部を前記屈曲部に沿って下側に滑動させて前記背面部を前記本体部に密着する状態まで復元させ得る程度の磁力に設定されている、
ことを特徴とするアイラッシュカーラー。
【請求項２】
まぶたに沿うように左右方向に湾曲した板状の固定部材と、この固定部材の下縁の板厚よりも幅広でかつ前記固定部材の下縁に対し下方位置で相対向した状態で左右方向に延びる弾性押圧部を有し前記固定部材の下縁に向けて昇降可能に支持された可動押圧部材とを備え、前記可動押圧部材の上昇操作により前記弾性押圧部と前記固定部材の下縁との上下方向間に睫毛を挟み付けることで睫毛にカールを施すように構成され、前記固定部材が、左右方向に拡がり前記まぶたに沿うように前方に凸となる湾曲形状を有する本体部と、この本体部の左右方向に対し少なくとも中央部であってかつ前記可動押圧部材とは反対側である上側寄りの部分から前方に屈曲して斜め上向きに延びる屈曲部とからなるアイラッシュカーラーを対象として、このアイラッシュカーラーの前記固定部材に対し着脱可能に装着されて用いられる睫毛整列用のアダプタであって、
前記固定部材の左右方向範囲にわたり延びる湾曲形状を有し、前記本体部の前面に密着し得る形状に形成された背面部と、この背面部の前記屈曲部の形成範囲と対応する左右方向範囲に設けられ磁力に基づく吸着力により前記背面部を前記固定部材の前面に対し着脱可能に装着するための磁石部材と、下方に向けて鋸歯状の凹凸形状を有する睫毛整列部とを備え、
前記磁石部材は、前記可動押圧部材の上昇操作により前記弾性押圧部を前記固定部材の下縁に押圧した際に前記アダプタに作用する上向き圧力を受けると、前記固定部材に対し前記背面部を吸着させた状態に維持しつつ前記アダプタの上昇変位を許容して前記背面部の上端側角部が前記固定部材の本体部から屈曲部に摺動することを許容する一方、可動押圧部材の下降操作により前記上向き圧力が解消されると、前記吸着力に基づき前記前記背面部の上端側角部を前記屈曲部に沿って下側に滑動させて前記背面部を前記本体部に密着する状態まで復元させ得る程度の磁力に設定されている、
ことを特徴とするアイラッシュカーラー用アダプタ。
【発明の詳細な説明】
【技術分野】
【０００１】
本発明は、睫毛をカールさせるために用いられるアイラッシュカーラー、及び、かかるアイラッシュカーラーに対し着脱可能に装着して用いられるアイラッシュカーラー用アダプタに関する。
【背景技術】
【０００２】
従来、睫毛をカールさせるために用いられる道具、すなわち、アイラッシュカーラー（「ビューラー」とも言われる）の存在は周知である（例えば特許文献１，２，３参照）。その原理的な構造は、まぶたの前面に沿わせた湾曲した板状の固定部材に対し下から可動押圧部材を押し上げて押圧操作することで、固定部材の下縁と可動押圧部材の上面との間に挟み込んだ睫毛を折り曲げてカールさせるようになっている。
【０００３】
一方、固定部材に対し下から可動押圧部材を押し上げて押圧操作するだけでは、睫毛が塊状になったりバラバラの向きに飛び出したりした状態で固定部材の下縁と可動押圧部材の上面との間に挟み付けられてしまう結果、バラバラの向きに飛び出した状態のままでカールされてしまう場合がある。これに対処するために、コイル状の整毛部を備えたアダプタを可動押圧部材の上面に取り付けることも提案されている（例えば特許文献４，５参照）。
【先行技術文献】
【特許文献】
【０００４】
【特許文献１】特開昭５７−１５２２０１号公報
【特許文献２】特開平１１−１７８６２９号公報
【特許文献３】特開２００８−２７２３２０号公報
【特許文献４】特開２００９−７８０３１号公報
【特許文献５】特開２０１０−２５９５３９号公報
【発明の概要】
【発明が解決しようとする課題】
【０００５】
しかしながら、コイル状の整毛部を備えたアダプタを可動押圧部材に取り付けると、固定部材をまぶたの前面に沿わせる際や、睫毛を挟み付ける際に、そのコイル状の整毛部が眼球の直近に位置するため、使用者に恐怖心を抱かせたり、あるいは、操作に対し通常以上の細心の注意を払うことを余儀なくさせたりすることも考えられる。又、このようなアダプタを可動押圧部材に取り付けた場合、コイル状の整毛部に上から入り込むことで睫毛の先端側が略拘束された状態で板状の固定部材の下縁に押圧されてヘアピン状に急激に折り曲げられる結果、可動押圧部材を押圧し過ぎると、全ての睫毛先端側がいわゆる万歳状態で上向きに延びるカール形状となり、斜め前方に延びるカール形状にはなり難いものとなる。逆に、可動押圧部材の押圧が不足すると、カール形状が不安定化してしまうことになる。
【０００６】
本発明は、このような事情に鑑みてなされたものであり、その目的とするところは、使用者に恐怖心を与える等の不都合なしに、所定のカールを睫毛に容易かつ確実に施し得るアイラッシュカーラー及びアイラッシュカーラー用アダプタを提供することにある。
【課題を解決するための手段】
【０００７】
上記目的を達成するために、アイラッシュカーラーに係る発明では、まぶたに沿うように左右方向に湾曲した板状の固定部材と、この固定部材の下縁の板厚よりも幅広でかつ前記固定部材の下縁に対し下方位置で相対向した状態で左右方向に延びる弾性押圧部を有し前記固定部材の下縁に向けて昇降可能に支持された可動押圧部材とを備え、前記可動押圧部材の上昇操作により前記弾性押圧部と前記固定部材の下縁との上下方向間に睫毛を挟み付けることで睫毛にカールを施すように構成されたアイラッシュカーラーを対象にして、次の特定実行を備えることとした。すなわち、前記固定部材に対し着脱可能に装着された睫毛整列用のアダプタを備えることとする。前記固定部材を、左右方向に拡がり前記まぶたに沿うように前方に凸となる湾曲形状を有する本体部と、この本体部の左右方向に対し少なくとも中央部であってかつ前記可動押圧部材とは反対側である上側寄りの部分から前方に屈曲して斜め上向きに延びる屈曲部とからなるものとする。前記アダプタとして、前記固定部材の左右方向範囲にわたり延びる湾曲形状を有し、前記本体部の前面に密着し得る形状に形成された背面部と、この背面部の前記屈曲部の形成範囲と対応する左右方向範囲に設けられ磁力に基づく吸着力により前記背面部を前記固定部材の前面に対し着脱可能に装着するための磁石部材と、下方に向けて鋸歯状の凹凸形状を有する睫毛整列部とを備えるものとする。そして、前記磁石部材として、前記可動押圧部材の上昇操作により前記弾性押圧部を前記固定部材の下縁に押圧した際に前記アダプタに作用する上向き圧力を受けると、前記固定部材に対し前記背面部を吸着させた状態に維持しつつ前記アダプタの上昇変位を許容して前記背面部の上端側角部が前記固定部材の本体部から屈曲部に摺動することを許容する一方、可動押圧部材の下降操作により前記上向き圧力が解消されると、前記吸着力に基づき前記前記背面部の上端側角部を前記屈曲部に沿って下側に滑動させて前記背面部を前記本体部に密着する状態まで復元させ得る程度の磁力に設定することとした（請求項１）。
【０００８】
本発明のアイラッシュカーラーの場合、可動押圧部材を上昇操作すれば、その弾性押圧部材と固定部材の下縁との間に睫毛の根本部分を挟み付けて位置固定し得る。この挟み付けによる位置固定の僅かに前に、睫毛の先端側部分がアダプタの凹凸形状の睫毛整列部の凹状部分にそれぞれ入り込んで均一に分散され、しかも、凹状部分に入り込むことで前方に対し斜め上向きに延びるように整列される。次いで、可動押圧部材をさらに上向きに上昇操作すれば、弾性押圧部内に固定部材の下縁がより深く食い込んで睫毛に対するカールが施される一方、弾性押圧部からアダプタの睫毛整列部に作用する上向き圧力を受けて、アダプタは固定部材との吸着状態を維持したまま上昇変位することになる。つまり、可動押圧部材の弾性押圧部の上昇移動に伴い、アダプタも睫毛が睫毛整列部に入り込んだ状態のまま上昇変位して随伴することになって、前記の固定部材の下縁が弾性押圧部内に対しより深く食い込むことを許容して、カールの実施を確実なものとなし得ることになる。そして、所定時間の押圧で睫毛に対するカール作業が終わって可動押圧部材を下降させると、それまでの上向き圧力が無くなるため、磁石部材の吸着力が優越的に作用し、この吸着力によって、アダプタの背面部の上端側角部を屈曲部に沿って滑動させて、背面部が固定部材の前面に密着状態で吸着した元の状態まで下降して自動的に復元することになる。つまり、可動押圧部材の下降操作に追従して、アダプタも元の装着状態まで自動的に復元することになる。以上より、アダプタは、カール作業の際に睫毛を分散状態でかつ所定の斜め上向きに延びるように整列させる役割を果たすと共に、可動押圧部材の昇降操作に基づき弾性押圧部を固定部材に対し押圧操作する際に、その弾性押圧部材の押圧力付与に追従するショックアブソーバの役割をも果たすことになる。これにより、力の加減を注意して押圧操作をする必要が無く、均一なカールを施すことができるようになる。しかも、押圧操作に基づくカール作業が終わって操作力を解除すれば、アダプタは自動的に元の装着状態に復元するため、睫毛に対する次回のカール操作を即座に行うことができるようになる。つまり、同じ睫毛に対する重ねてのカール操作（例えば、同じ根本部分を複数回挟み付けたり、あるいは、弾性押圧部と固定部材の下縁との間に挟み付ける位置を睫毛の根元部分から中間部分、そして、さらに先端側部分へと同じ睫毛の異なる位置を挟み付けたり、するようなカール操作）や、隣の目の睫毛に対するカール操作を即座に行い得るようになる。
【０００９】
又、アイラッシュカーラー用アダプタに係る発明では、まぶたに沿うように左右方向に湾曲した板状の固定部材と、この固定部材の下縁の板厚よりも幅広でかつ前記固定部材の下縁に対し下方位置で相対向した状態で左右方向に延びる弾性押圧部を有し前記固定部材の下縁に向けて昇降可能に支持された可動押圧部材とを備え、前記可動押圧部材の上昇操作により前記弾性押圧部と前記固定部材の下縁との上下方向間に睫毛を挟み付けることで睫毛にカールを施すように構成され、前記固定部材が、左右方向に拡がり前記まぶたに沿うように前方に凸となる湾曲形状を有する本体部と、この本体部の左右方向に対し少なくとも中央部であってかつ前記可動押圧部材とは反対側である上側寄りの部分から前方に屈曲して斜め上向きに延びる屈曲部とからなるアイラッシュカーラーを対象に、このアイラッシュカーラーの前記固定部材に対し着脱可能に装着されて用いられる睫毛整列用のアダプタとして、次の特定事項を備えることとした。すなわち、前記固定部材の左右方向範囲にわたり延びる湾曲形状を有し、前記本体部の前面に密着し得る形状に形成された背面部と、この背面部の前記屈曲部の形成範囲と対応する左右方向範囲に設けられ磁力に基づく吸着力により前記背面部を前記固定部材の前面に対し着脱可能に装着するための磁石部材と、下方に向けて鋸歯状の凹凸形状を有する睫毛整列部とを備えることとする。そして、前記磁石部材として、前記可動押圧部材の上昇操作により前記弾性押圧部を前記固定部材の下縁に押圧した際に前記アダプタに作用する上向き圧力を受けると、前記固定部材に対し前記背面部を吸着させた状態に維持しつつ前記アダプタの上昇変位を許容して前記背面部の上端側角部が前記固定部材の本体部から屈曲部に摺動することを許容する一方、可動押圧部材の下降操作により前記上向き圧力が解消されると、前記吸着力に基づき前記前記背面部の上端側角部を前記屈曲部に沿って下側に滑動させて前記背面部を前記本体部に密着する状態まで復元させ得る程度の磁力に設定することとした（請求項２）。
【００１０】
本発明の場合、アダプタを固定部材に装着すれば、請求項１に係る発明の場合と同様の作用効果を得ることができるようになる。
【発明の効果】
【００１１】
以上、説明したように、請求項１のアイラッシュカーラーによれば、可動押圧部材を上昇操作すれば、睫毛の先端側部分をアダプタの凹凸形状の睫毛整列部の凹状部分にそれぞれ分散させて入り込ませることができ、睫毛を均一に分散させた状態で、弾性押圧部材と固定部材の下縁との間に睫毛の根本部分を挟み付けて位置固定することができ、この状態では、睫毛が凹状部分に入り込むことで前方に対し斜め上向きに延びるように整列させることができる。そして、可動押圧部材の弾性押圧部の上昇移動に伴い、アダプタも睫毛が睫毛整列部に入り込んだ状態のまま上昇変位して随伴させることができ、固定部材の下縁が弾性押圧部内に対しより深く食い込むことを許容して、カールの実施を確実なものとすることができるようになる。このように、睫毛を均一に分散させた状態で整列させた上でカールのための押圧操作を行うことができるようになる。一方、所定時間の押圧で睫毛に対するカール作業が終わって可動押圧部材を下降させると、それまでの上向き圧力が無くなり、代わりに優越的に作用することになる磁石部材の吸着力によって、アダプタの背面部の上端側角部を屈曲部に沿って滑動させて、背面部が固定部材の前面に密着状態で吸着した元の状態まで下降してアダプタを自動的に復元させることができる。つまり、可動押圧部材の下降操作に追従して、アダプタも元の装着状態まで自動的に復元させることができるようになる。以上、アダプタによって、カール作業の際に睫毛を分散状態でかつ所定の斜め上向きに延びるように整列させる役割を果たさせることができる一方、可動押圧部材の昇降操作に基づき弾性押圧部を固定部材に対し押圧操作する際に、その弾性押圧部材の押圧力付与に追従するショックアブソーバの役割をも果たさせることができるようになる。これにより、力の加減を注意して押圧操作をする必要が無く、均一なカールを施すことができるようになる。しかも、押圧操作に基づくカール作業が終わって操作力を解除すれば、アダプタは自動的に元の装着状態に復元するため、睫毛に対する次回のカール操作を即座に行うことができるようになる。
【００１２】
又、請求項２のアイラッシュカーラー用アダプタによれば、アダプタを固定部材に装着することで、請求項１に係る発明の場合と同様の作用効果を得ることができるようになる。
【図面の簡単な説明】
【００１３】
【図１】図１はアダプタを取り付けた状態のアイラッシュカーラーの例を示す斜視図である。
【図２】図１のアイラッシュカーラーの上端部分についてアダプタ未装着状態の部分拡大正面図である。
【図３】図３は図２のＡ−Ａ線における拡大端面説明図である。
【図４】図４は図２のＢ−Ｂ線矢視状態での説明図である。
【図５】図５（ａ）は本発明の実施形態に係るアイラッシュカーラー用アダプタの正面図であり、図５（ｂ）は同アダプタの背面図である。
【図６】図６（ａ）は図１のアダプタの平面図であり、図６（ｂ）は同アダプタの底面図である。
【図７】図７は図５のアダプタの右側面図である。
【図８】図８（ａ）は図６（ｂ）のＣ−Ｃ線における拡大端面図であり、図８（ｂ）は図６（ｂ）のＤ−Ｄ線における拡大端面図であり、図８（ｃ）は図６（ｂ）のＥ−Ｅ線における拡大端面図であり、図８（ｄ）は図６（ｂ）のＦ−Ｆ線における拡大端面図である。
【図９】図５のアイラッシュカーラーの上端部分についてアダプタ装着状態の部分図５対応図である。
【図１０】図１０（ａ）は図９のＧ−Ｇ線における拡大端面説明図であり、図１０（ｂ）は図４のＨ−Ｈ線に対応する部分の拡大端面説明図である。
【図１１】図１１（ａ）は図９の状態から可動押圧部材をアダプタ下面に密着する程度に上昇操作させた状態の図９対応図であり、図１１（ｂ）は図１１（ａ）のＩ−Ｉ線における拡大端面説明図である。
【図１２】図１２（ａ）は図１１（ａ）の状態から可動押圧部材をさらに上昇させるように操作力を加えた状態の図９対応図であり、図１２（ｂ）は図１２（ａ）のＪ−Ｊ線における拡大端面説明図である。
【図１３】図１３は図１２（ａ）の状態から可動押圧部材に対する操作力を解除して可動押圧部材を下降させたときの図１２（ｂ）対応図である。
【発明を実施するための形態】
【００１４】
以下、本発明の実施形態を図面に基づいて説明する。
【００１５】
図１は本発明の実施形態に係るアダプタ２を取り付けた状態（アダプタ装着状態）のアイラッシュカーラー３を示し、図２〜図４はアダプタ非装着状態のアイラッシュカーラー３を、図５〜図８はアダプタ２自体を、それぞれ示す。なお、アダプタ２の左側面図は図７の右側面図と対称に表れる。アダプタ２はアイラッシュカーラー３の後述の固定部材３３に磁石部材２２，２２の吸着力により着脱可能に装着されて、下面側の鋸歯状の睫毛整列部２５によりカール対象の睫毛を分散状態でかつ所定の斜め上向きに延びるように整列させるために用いられるものである。
【００１６】
図１のアイラッシュカーラー３は、本発明に係るアダプタ２との関係では後述の固定部材３３に形成した屈曲部３３２がアダプタ２のショックアブソーバ機能（詳細は後述）を発揮するための特徴的な構成である一方、それ以外の構成は周知のものと同様のものであって例示である。すなわち、アイラッシュカーラー３は、ピン３０により回転軸Ｘ１回りに回転自在に結合された一対の操作レバー３１，３２と、第１操作レバー３１の先端側に固定された固定部材３３と、第２操作レバー３２により昇降操作される可動押圧部材３４とを備えたものである。第１操作レバー３１は基端位置に指かけ部３１０が形成される一方、ピン３０から先端側が二股状に分かれて一対の支持杆３５，３５が一体に形成されている。この一対の支持杆３５，３５の先端部間に掛け渡されるように前記固定部材３３が固定されているとともに、この固定部材３３よりも下側範囲の一対の支持杆３５，３５に対し前記可動押圧部材３４の両端部が昇降可能に支持されている。又、第２操作レバー３２は基端位置に指かけ部３２０が形成される一方、ピン３０から先端側の部位に回転軸Ｘ１と平行な挿通孔３６が形成され、この挿通孔３６に対しリンク部材３７（図例では二股に分かれた一対のものを図示）の基端部が回転軸Ｘ１と平行な回転軸Ｘ２の回りに回転自在に挿通されて支持されている。このリンク部材３７の先端部が前記可動押圧部材３４の下面に連結されており、第２操作レバー３２を第１操作レバー３１に対し回転軸Ｘ１回りに近づくように鋏の如く閉じ操作すれば、リンク部材３７を介して上昇操作力が可動押圧部材３４に作用して可動押圧部材３４が図１の実線から一点鎖線の状態に上昇する一方、逆に開き操作すれば下降操作力が作用して下降するようになっている。
【００１７】
次に、図２〜図４を参照しつつ固定部材３３及び可動押圧部材３４について詳細に説明する。固定部材３３は、湾曲した帯状の金属薄板により形成されており、各支持杆３５の延びる方向と同じ方向に拡がりつつ、両支持杆３５，３５間において前方に凸の円弧状に湾曲した本体部３３１と、本体部３３１の左右方向の両支持杆３５，３５間の中央寄り範囲Ｒ（図２又は図４参照）であって後述のアダプタ２との関係で上下方向の約１／３程度の上側範囲において本体部３３１から斜め前方に向けて屈曲して斜め上向きに延びる屈曲部３３２とを備えている。かかる屈曲部３３２は両支持杆３５，３５の少なくとも中央位置に形成されていればよい。又、可動押圧部材３４は、下面にリンク部材３７の上端が結合され前記本体部３３１と同様に湾曲しつつ上方に開口した受け部３４１と、この受け部３４１内に上から内嵌されて上向きに突出した弾性押圧部（例えばゴム製）３４２とを備えている。受け部３４１の両端部にそれぞれ支持杆３５が挿通され、これによりリンク部材３７から昇降操作力が伝達されれば、可動押圧部材３４が支持杆３５に沿って昇降するように案内される。そして、第２操作レバー３２が第１操作レバー３１に対し閉じ操作位置Ｐ１（図１参照）まで閉じ操作されると、可動押圧部材３４が上昇作動してその弾性押圧部３４２の上面が固定部材３３の本体部３３１の下縁３３３が僅かに（例えば０．５ｍｍ程度）食い込んだ状態（図２，図３参照）に密着し、さらに第２操作レバー３２を弾性押圧部３４２の弾性復元力に抗して第１操作レバー３１の側の閉じ操作位置Ｐ２（図１参照）まで力を加えて閉じ操作すれば、弾性押圧部３４２に対し固定部材３３の下縁３３３がより深く食い込むことになると同時に、後述の如く弾性押圧部３４２がアダプタ２を押し上げることになる。
【００１８】
なお、図３は本発明に係るアダプタ２を装着せずにアイラッシュカーラー３だけでカール操作を行った場合の睫毛の状態を例示したものである。この場合には、固定部材３３の下縁３３３で屈曲された後の睫毛Ｋ，Ｋ，…の先端側がそれぞれバラバラの向きに延びた状態のままカールが施されることになる。
【００１９】
次に、図５〜図８を参照しつつアダプタ２について詳細に説明する。アダプタ２は、アイラッシュカーラー３の固定部材３３の本体部３３１の形状に対応する形状を備えるように、透明又は半透明の合成樹脂を用いて形成されている。すなわち、正面（図５（ａ）参照）から見た全体形状が僅かに上向きに凸カーブを描くように湾曲され、かつ、平面（図６（ａ）参照）から見た全体形状が前向きに凸カーブを描くように湾曲されている。背面部２１（図５（ｂ）参照）は固定部材３３の本体部３３１とほぼ同様の上下方向寸法を有し、かつ、本体部３３１のほぼ全面に対し密接し得る湾曲面とされ、前記の中央寄り範囲Ｒの範囲内の上側位置において本体部３３１に対し所定の吸着力（磁力）を発揮するように適宜数（１又は２以上）の磁石部材（例えばネオジム磁石）２２，２２が埋め込まれている。図例では左右方向に細長い２つの磁石部材２２，２２が所定の間隔を隔てて配設され、かつ、表面が露出するように埋め込まれたものを示している。これ以外にボタン形状の磁石部材を所定の磁力を発揮するように所定数だけ配設するようにしてもよいし、所定の磁力を発揮するのであれば細長い形状のものを１つだけ配設したり、あるいは、内部に埋設した状態に配設したり、するようにしてもよい。配設手法としては、合成樹脂成形時にインサート成形してもよいし、あるいは、合成樹脂成形時に所定の凹部を形成し成形後に接着してもよい。又、形成素材としては、好ましくは透明又は半透明の合成樹脂であるが、不透明のものであってもかまわない。透明又は半透明のように光を透過する素材の方が、固定部材３３をまぶたに沿わせてカール操作を行う際に視認性が向上し、カール操作し易くなると考えられる。
【００２０】
アダプタ２の上面側は、背面部２１側に向けて斜め下り勾配となる内向き斜面部２３ａと、正面部２４側に向けて斜め下り勾配となる外向き斜面部２３ｂとで横断面形状が山型（図８参照）になるように形成されている。そして、アダプタ２の下面側には、鋸歯状の睫毛整列部２５が形成されている。睫毛整列部２５は、凹溝２５１と凸部２５２とが繰り返し形成されたものであり、図例のものは逆Ｖの字状の断面形状を有し平面視で放射方向に延びる多数の凹状部である凹溝２５１，２５１，…がＶの字状の断面形状の凸部２５２を介して円弧方向に連続するように配列して鋸歯状にしたものである。凹溝としては逆Ｕの字状の断面形状を有するように形成してもよい。加えて、各凹溝２５１は、正面部２４側の深さ（下面側から上面側に向かう上下方向寸法）が背面部２１側よりも大きくなるように形成され、これにより、各凹溝２５１の溝底が、背面部２１から正面部２４にかけて斜め上向きに傾斜するように形成されている。これにより、後述の如く、カール操作の際に睫毛が斜め前方に向けて上向きに延びるように、睫毛を整列させることができるようになる。なお、アダプタ２の外向き斜面部２３ｂの特に左右方向両端部２３ｃ，２３ｃはまぶた等との接触を考慮して丸みを帯びた形状になるように設定されている。
【００２１】
次に、アダプタ２を装着したアイラッシュカーラー３を用いたカール操作について説明すると、まず、アダプタ２をアイラッシュカーラー３の固定部材３３の本体部３３１前面に装着する（図１，図９参照）。その装着は、アダプタ２の背面部２１を固定部材３３本体部３３１に近づけていけば、磁石部材２２，２２（例えば図５（ｂ）参照）の磁力により背面部２１が本体部３３１の前面に自動的に吸着して装着状態になる。この装着状態では、背面部２１が本体部３３１の前面にほぼ密着状態に維持され（図１０（ａ），（ｂ）参照）、アダプタ２の背面部２１と内向き斜面部２３ａとの角部が、本体部３３１と屈曲部３３２との傾斜変換部に位置することになる（図１０（ａ）参照）。なお、この装着状態では、アダプタ２の最下部（睫毛整列部２５の凸部２５２の先端部）が固定部材３３の下縁３３３位置と同じ位置か、下縁３３３位置よりも僅かに（例えば０．５ｍｍ程度）上側位置に位置するようにすることが好ましい。このため、背面部２１の上下方向寸法として、アダプタ２の最下部が下縁３３３位置よりも僅かに上側位置に位置するように設定されている。すなわち、可動押圧部材３４を上昇操作すれば、その弾性押圧部材３４２と固定部材３３の下縁３３３との間に睫毛の根本部分を挟み付けて位置固定し得ることになるが、その挟み付けによる位置固定の直前に又は前に、睫毛の先端側部分がアダプタ２の凹凸形状の睫毛整列部２５の各凹溝２５１にそれぞれ入り込んで均一に分散されるようにするためである。加えて、可動押圧部材３４をさらに上向きに上昇操作することで、アダプタ２も追従して上昇変位するようにすることで、弾性押圧部３４２内に固定部材３３の下縁３３３がより深く食い込むことを許容して、睫毛に対するカール付与をより確実に実現させるためである。又、アダプタ２の前記最下部位置を固定部材３３の下縁３３３位置よりも下側に位置させるようにしなかったのは、次の理由によるものである。仮に下縁３３３よりも下側にアダプタ２の前記最下部を位置させるようにすると、固定部材３３の下縁３３３がアダプタ２の最下部で隠されてしまい、通常は鏡を用いて目の辺りを確認しながらカールのための操作を行う使用者にとって使い難いものとなるからである。さらに、前記の本体部３３１と屈曲部３３２との傾斜変換部（図１０（ａ）参照）は、アダプタ２の背面部２１と内向き斜面部２３ａとの角部に合わせて多少角部が残るように形成することが後述の如くアダプタ２の戻り追従時の節度感が得られる点で好ましいが、円弧状に滑らかに傾斜変換するように形成しても滑らかな戻り追従が得られる点で好ましい。
【００２２】
そして、アダプタ２を装着した状態のアイラッシュカーラー３（図１参照）を、その指かけ部３１０，３２０に使用者の親指と人差し指をかけて把持し、固定部材３３の後面側が使用者のまぶたの前面に沿うように位置調整することにより、固定部材３３と可動押圧部材３４との上下間から睫毛を前方に飛び出させる。次に、第１操作レバー３１を同じ位置に保持しつつ、第２操作レバー３２を閉じ操作位置Ｐ１まで閉じ操作することで、可動押圧部材３４を上昇作動させて弾性押圧部３４２が固定部材３３の下縁３３３に密着するようにする（図１１（ａ），（ｂ）参照）。これにより、睫毛Ｋは、その根本部分が弾性押圧部３４２と固定部材３３の下縁３３３との間に挟み付けられて位置固定され、この根本部分から先端側部分がアダプタ２の睫毛整列部２５の各凹溝２５１内に個別に入り込み、各凹溝２５１の溝底に案内されて前方に対し斜め上向きに延びた状態になる。これにより、睫毛Ｋがバラバラの向きに位置固定されてしまったり塊状になったりするのを防止して、分散状態でかつほぼ同じ向きに睫毛Ｋを整列させることができる。この操作の際、アダプタ２は固定部材３３の前面に装着されているため、使用者の視界内には特に飛び込むようなこともなく、従来の可動押圧部材側に取り付けられた場合のような恐怖心を使用者に抱かせることもない。
【００２３】
次に、弾性押圧部３４２の弾性復元力に抗して第２操作レバー３２に対し力を加えて第２操作レバー３２を閉じ操作位置Ｐ２まで閉じ操作することで、可動押圧部材３４をさらに上昇作動させて固定部材３３の下縁３３３が弾性押圧部３４２内にさらに食い込んだ状態にする（図１２（ａ），（ｂ）参照）。この弾性押圧部３４２のさらなる上昇により、アダプタ２の下面である睫毛整列部２５にも弾性押圧部３４２から上向き圧力（上昇させようとする圧力）が磁石部材２２，２２の吸着力に対しせん断方向に作用する。これにより、アダプタ２は固定部材３３の本体部３３１から屈曲部３３２側に上昇方向に変位することになる。つまり、アダプタ２の背面部２１と内向き斜面部２３ａとの角部が、本体部３３１と屈曲部３３２の傾斜変換部を乗り越えて屈曲部３３１に摺動することになる。この際、アダプタ２は磁石部材２２，２２によって固定部材３３に対し吸着状態に維持されている。このように、使用者による閉じ操作位置Ｐ２までの閉じ操作力に基づき可動押圧部材３４、つまり弾性押圧部３４２から上昇作動力が作用した場合に、アダプタ２を固定部材３３に対し吸着状態に維持しつつも、屈曲部３３２側への上昇変位を許容する程度の磁力を有するように磁石部材２２，２２が設定されているのである。
【００２４】
前記の閉じ操作位置Ｐ２への閉じ操作により、睫毛Ｋは、弾性押圧部３４２に対しより深く食い込んだ固定部材３３の下縁３３３から根本部分が大きく屈曲され、先端側部分が弾性押圧部３４２と、睫毛整列部２５の各凹溝２５１とに挟み付けられて前方に対し斜め上向きに突出することになる。この際、アダプタ２が弾性押圧部３４２の上昇に追従して上昇変位することで、睫毛Ｋの先端側部分に対しおじぎするような拘束的な押し付け力が作用するのを排して、睫毛Ｋをほぼ同じ向きのカール状況に維持させるようなショックアブソーバ機能が発揮されることになる。
【００２５】
前記の閉じ操作位置Ｐ２への閉じ操作状態に所定時間維持することで睫毛Ｋにカールを施した後に、閉じ操作力を緩めれば、可動押圧部材３４は固定部材３３の下縁３３３から離れて下降する。この可動押圧部材３４の下降に伴い、アダプタ２に対するそれまでの上昇作動力が無くなるため、磁石部材２２，２２による吸着力が優越することになり、この吸着力により、アダプタ２は背面部２１と内向き斜面部２３ａとの角部が固定部材３３の屈曲部３３２に沿って下降し、本体部３３１と屈曲部３３２との傾斜変換部位置まで至ってアダプタ２の背面部２１が本体部３３１の前面に密着した時点で元の吸着状態に復元して下降が停止する（図１３参照）。以上の如く、アダプタ２は固定部材３３に対する吸着状態を維持しつつ、弾性押圧部３４２（可動押圧部材３４）の昇降作動に追従し、睫毛Ｋに対するショックアゾソーバとしての機能を果たすことになる。
【００２６】
なお、アダプタ２は使用者が手でつまめば固定部材３３から容易に引きはがしたり、再び磁石部材２２，２２により装着したりすることができるというように着脱可能であるため、例えばマスカラを取り付けた後に、そのマスカラに対するカール操作を行う場合などには、アダプタ２を取り外してアイラッシュカーラー３だけの状態にして便宜に用いることができる。
【００２７】
＜他の実施形態＞
なお、本発明は上記実施形態に限定されるものではなく、その他種々の実施形態を包含するものである。すなわち、アダプタ２の交換用として、下面側の睫毛整列部２５の鋸歯状のピッチが互いに異なるものを複数種類形成しておき、それまで使用してきたアダプタ２とは異なるピッチの他のアダプタ２に付け替えて使用し得るようにしてもよい。
【００２８】
睫毛整列部２５として、各凹溝２５１の溝底が前方に対し斜め上向きに傾斜するように形成されたものを示したが、これに限らず、傾斜させずに背面部２１の側と正面部２４の側との溝深さがほぼ同じに形成されたものを適用してもよい。
【符号の説明】
【００２９】
２        アダプタ
３        アイラッシュカーラー
２１      背面部
２２      磁石部材
２５      睫毛整列部
３３      固定部材
３４      可動押圧部材
３３１    本体部
３３２    屈曲部
３３３    下縁
３４２    弾性押圧部
Ｋ        睫毛
【図１】
2014004128.tif 000003
【図２】
2014004128.tif 000004
【図３】
2014004128.tif 000005
【図４】
2014004128.tif 000006
【図５】
2014004128.tif 000007
【図６】
2014004128.tif 000008
【図７】
2014004128.tif 000009
【図８】
2014004128.tif 000010
【図９】
2014004128.tif 000011
【図１０】
2014004128.tif 000012
【図１１】
2014004128.tif 000013
【図１２】
2014004128.tif 000014
【図１３】
2014004128.tif 000015